(57)【要約】【課題】従来の台所用吊設棚は、横揺れが激しいため棚板に軽く触れただけで揺れて棚板上の調理器や食器が落ちたり、棚板に重いものを乗せるとレールから吊設した長ネジが外れたり、さらには長ネジが露出していたため見栄えの悪いものであった。【解決手段】本発明は、レールの両側壁内側下部に溝を形成し、該溝に係合できる係合部を有するコアがレール内を移動可能に設置されており、また棚板とレール間には吊設用の長ネジを覆い隠すカバーが設置されている。【選択図】図１
2006247298.tif 000002
【特許請求の範囲】
【請求項１】
棚板が複数本の長ネジで保持され、しかも該長ネジが台所の上方に取り付けられたレール内で移動可能となっている台所用吊設棚において、レールは断面コ字型でレールの両側壁内側下部には溝が形成されており、該レール内を移動するコアはレールの溝と係合できる係合部を有しているとともに、コアの中心部には上下方向に貫通した牝ネジが螺設されていて、しかもコアの牝ネジには回動手段を有する長ネジの上部が螺入されており、また長ネジの下部は棚板の保持孔を挿通し、棚板の保持孔を挿通した長ネジの下部にナットを螺合することにより棚板が保持されており、さらにレールと棚板間には内部に長ネジを挿入したカバーが設置されていて、該カバーの上部にはレール幅と略同一幅となった切り込みが形成されており、レールは切り込みの両側片に挟まれていることを特徴とする台所用吊設棚。
【請求項２】
前記長ネジの回動手段は、長ネジの適宜箇所に横方に穿設した穴であることを特徴とする請求項１記載の台所用吊設棚。
【請求項３】
前記長ネジの回動手段は、長ネジの適宜箇所に形成したレンチの係合面であることを特徴とする請求項１記載の台所用吊設棚。
【発明の詳細な説明】
【技術分野】
【０００１】  本発明は、台所の空間部に上方から複数の長ネジで吊設する棚に関する。
【背景技術】
【０００２】  台所には多数の調理器や食器（以下、調理器等という）が食器棚、吊戸棚、調理台下部等の収納場所に収納されており、料理のときに、それぞれ必要な調理器等を収納場所から取り出して使用している。そして一種の料理が終了した後、今まで使用していた調理器等をその都度しまっていたのでは料理がはかどらないため、台所の適宜箇所に一旦置いておき、次の料理に着手することが多い。しかしながら料理の種類が増えると、一旦置いておく調理器等も増えて置き場所がなくなってしまうことがある。そのため台所では、なるべく多くの置き場所のあることが望ましいとされている。その置き場所としては、空いている空間を利用した吊設棚である。空間を利用した吊設棚として代表的なものは水きり棚である（特許文献１）。【０００３】  従来の水切り棚は、流し台の上部空間を利用したもので、天井近くに設置された吊戸棚の下部に取り付けられている。水切り棚は、洗浄後の調理器等から水滴がたれても、下方に流し台があるため、水は全て流し台に落ちて台所の床面を濡らしたり、出来上がった料理にかかったりすることはない。そのため水切り棚の多くは、吊戸棚の下部に木ネジで固定されていた。つまり水切り棚は、洗浄後の調理器等からたれ落ちる水が必ず流し台の中に落ちなければならないため、位置が不動でなくてはならず、水切り棚のブラケット上部を木ネジで吊戸棚に固定していたものである。【０００４】  この水切り棚以外に台所の空間を利用して上部から吊設する吊設棚が提案されている（特許文献２）。特許文献２の吊設棚は、棚に複数本の長ネジを取り付け、長ネジの先端を天井に固定したレールに移動可能に設置したものである。この吊設棚の長ネジとレールの構造は、レールとして中空の角パイプを用い、該角パイプの下面中央長手方向に長ネジの直径よりも僅かに幅広となったスリットを形成し、該スリット内に長ネジの上端部を挿入してある。長ネジの上端部には、二個のナットが離間して螺入されており、該二個のナット間のネジ部がスリットに挿入されている。この吊設棚は、長ネジを所定の位置まで移動させた後、下部のナットを締め付けて上下部二個のナットでスリットの部分を挟むことにより長ネジをレールに固定するものである。
【特許文献１】実開平５−５１２４０号公報
【特許文献２】特開平５−３０９０２５号公報
【発明の開示】
【発明が解決しようとする課題】
【０００５】  ところで従来の吊設棚は、棚に調理器等を乗せるときに棚に少しでも触ったり、棚に乗せてある調理器を滑らせて移動させたりすると、棚が揺れて棚に乗せてあった調理器等が落下して破損することがあった。また従来の吊設棚は、重い調理器等や多数の調理器等を乗せて棚が重くなると、レールに固定した長ネジがレールから外れて落下し、調理器等を破損したり長ネジや調理器等が料理をする人に当たって怪我を負わしたりすることがあった。さらにまた従来の吊設棚は、美観的にも問題のあるものであった。つまり長ネジはネジが螺設された単なる鉄の棒であるため決して見栄えのよいものではないのに、従来の吊設棚は、長ネジが露出したままであり、デザイン的に好ましくなかった。近時の台所は、インテリアデザインを重視するシステムキッチンとなってきているのに反して、吊設棚の長ネジは優美なデザインを台無しにしていたものである。【０００６】  本発明は、少しの力がかかったくらいでは棚が揺れることがなく、しかも棚に重い調理器等を乗せてもレールから外れることがないばかりでなく、インテリアデザイン的にも優美な吊設棚を提供することにある。
【課題を解決するための手段】
【０００７】  本発明者は、従来の吊設棚における問題点について鋭意検討を重ねた結果、棚が揺れやすいのは長ネジを吊設するレールのスリット部を長ネジに螺入した二個のナットで挟んで締め付けていただけであるため、簡単に揺れてしまうものであり、また棚に重い調理器等を乗せたときにレールから長ネジが外れることがあるのは、重い重量でスリットが開いてしまうからであることが分かった。【０００８】  本発明者は、直立した棒状物は横方に倒れやすいが、直立した棒状物を両側で支えれば倒れにくくなること、例えば直立した棒状物の両側に棒状物を支える支えを設置すると、棒状物が右方に倒れようとしても右に設置した支えが棒状物の右方への倒れを防止し、また棒状物が左方に倒れようとしても左に設置した支えが左方への倒れを防止する。また平らな面にスリットを形成し、該スリットの中央に重いものを乗せるとスリットは両側に開いてしまうが、スリットの開口両端に溝を形成し、これら両側の溝に係合する係合物を置いて、該係合物に力をかけるようにすると、スリットは溝と係合物の係合により両側に開かなくなること、等に着目して本発明を完成させた。【０００９】  本発明は、棚板が複数本の長ネジで保持され、しかも該長ネジが台所の上方に取り付けられたレール内で移動可能となっている台所用吊設棚において、レールは断面コ字型でレールの両側壁内側下部には溝が形成されており、該レール内を移動するコアはレールの溝と係合できる係合部を有しているとともに、コアの中心部には上下方向に貫通した牝ネジが螺設されていて、しかもコアの牝ネジには回動手段を有する長ネジの上部が螺入されており、また長ネジの下部は棚板の保持孔を挿通し、棚板の保持孔を挿通した長ネジの下部にナットを螺合することにより棚板が保持されており、さらにレールと棚板間には内部に長ネジを挿入したカバーが設置されていて、該カバーの上部にはレール幅と略同一幅となった切り込みが形成されており、レールは切り込みの両側片に挟まれていることを特徴とする台所用吊設棚である。
【発明の効果】
【００１０】  本発明の吊設棚は、長ネジを吊設するレールが断面コ字型であり、該レールの両側側壁内側下部に溝が形成されていて、この両側の溝に係合可能な突状が形成されたコアを係合してあるため、コアの中心に大きな力がかかった場合、即ち棚に重量物を乗せた場合でもレールが両側に開くことはない。また本発明の吊設棚は、コアの牝ネジに螺入した長ネジを回動して長ネジの頂部をレールの天井面に強く押し付けるため、長ネジが移動するのを阻止する。しかも長ネジはカバー内に挿入されており、カバーにはレールに嵌合するようにして相対向する二箇所に切り込みが形成されているため、該二箇所の切り込みがレールの天井面に強く押し付けた長ネジの両側を支えるようになり、長ネジが揺れるのを防いでいる。そして本発明の吊設棚は、見栄えの悪い長ネジが前述カバー内に挿入されていて長ネジを隠しているため、インテリアデザイン的にも優れたものである。
【発明を実施するための最良の形態】
【００１１】  本発明の長ネジを回動する手段としては、長ネジの適宜箇所に横方に貫通した穴や平行となった係合面が例示される。穴は長ネジを回動するときに該穴に六角レンチのような棒状物を挿入し、該棒状物の端部を持って回動すると、長ネジは軽い力で容易に回動する。また長ネジに形成した平行な係合面は、ここにレンチを係合してレンチを回動すれば、やはり軽い力で長ネジを容易に回動できる。係合面とは、長ネジの適宜箇所に形成した相対する面が平行な二面、四面、六面となったものである。【００１２】  本発明に使用するレールは、断面コ字型で両側壁の下部に溝を形成したものであるが、溝は下部だけでなく上部にも形成しておき、レール内に設置するコアの上下部にもこれらの溝と係合できる係合部を形成しておくと、レール内でコアを移動させる際に、コアは上下方向にガタツクことなく円滑に移動するようになる。またレールの上下部の溝を同一形状にするとともに、コアの全ての係合部の形状を同一形状にすれば、コアをレール内に挿入するときに上下の位置に注意することなく挿入できる。【００１３】  本発明では、長ネジがレールと棚板間に設置されたカバー内に挿入されているが、該カバーは角パイプや丸パイプの他、如何なる形状のパイプでもよい。要は、カバーがレールと棚板間にあって、長ネジを覆い隠すとともに、カバーの上部切り込みがレールを挟み込むことにより、長ネジの揺れを防止することができればよい。【００１４】  本発明では、長ネジを棚板の保持孔に挿入し、長ネジの端部にナットを螺合することにより棚板を保持するものであるが、ナットだけで棚板を保持するとナットが棚板に接する面積が小さいため棚板に重量物を乗せたときに、棚板の保持孔を突き破ってしまうことも考えられる。そこで本発明では、棚板の下面とナット間に面積の広いワッシャーを置いたり、さらに美観的に優れた樹脂製エンドを置いたりしてもよい。また棚板の下面に長ネジ、ワッシャー、ナット等が露出していると美観を損なうため、化粧キャップで覆っておくこともできる。さらにまた美観的な向上手段として、レールの端部に化粧蓋を嵌合してもよい。【００１５】  以下、図面に基づいて本発明の吊設棚を説明する。図１は本発明の吊設棚の分解斜視図、図２は本発明吊設棚の斜視図、図３はレールの側面図、図４はコアの正面図（ａ）、底面図（ｂ）、図５はカバーの平面図（ａ）、正面図（ｂ）、側面図（ｃ）、図６は要部断面図である。【００１６】  本発明の吊設棚は、レール１、コア２、長ネジ３、棚板４、カバー５から構成されている。レール１は断面コ字型であり、両側壁６、６の内側下部が内側フランジ７、７となっていて、該フランジの上部に溝８、８が形成されている。またレールの両側壁６、６の内側上部にも下部の溝８、８と同一形状の溝９、９が形成されている。上部の溝９、９の上方は空間部１０となっている。該空間部は、レールを木ネジで台所の天井に取り付けたときに、木ネジの頭部が少し突出してもコアの移動に邪魔とならないためのものである。レール１の天井面１１には適宜箇所に取付孔１２・・・が穿設されている。【００１７】  コア２は断面が鼓状であり、四隅に係合部１３・・・が形成されていて、該係合部は前述レール���の上下の溝８、８、９、９に容易に係合できる形状となっている。またコア２の中央には上下に貫通した牝ネジ１４が螺設されている。【００１８】  長ネジ３は、全長に牡ネジが螺設されていてもよいが、少なくとも上下部に牡ネジ１５、１６が螺設されていなければならない。上部の牡ネジ１５は前述コア２の牝ネジ１４に螺入できるものである。長ネジ３の適宜箇所には回動手段である穴１７が長ネジを横方に貫通して穿設されている。【００１９】  棚板４には、四隅に前述長ネジを容易に挿通できる保持孔１８・・・が穿設されている。棚板は、実施例に示すように平らな板であってもよいし、或いは水切り棚のように複数本のパイプを筏状に並設したものであってもよい。パイプ並設の棚板を使用する場合も、やはり四隅に保持孔を穿設したものを取り付けておかなければならない。【００２０】  カバー５は、正方形の角パイプであり、上端には切り込み１９が形成されている。切り込み１９を形成する両側片２０、２０間は、前述レール１の横幅と同一か、或いは僅かに狭くなっており、切り込みをレールに挟み込んだときに、両側片の弾性でカバーを挟持してカバーが落下しないようになっている。【００２１】  次に本発明を台所の天井に設置する状態について説明する。先ず二本のレール１を台所の天井Ｔに取り付ける。レール１の取り付けは、図６に示すようにレール１の天井面１１に穿設した取付孔１２に木ネジ２１を挿入して台所の天井Ｔに螺入することによりレール１を取り付ける。このとき二本のレールの間隔は、棚板４の四隅に穿設した保持孔１８・・・の短手方向に穿設した保持孔間の間隔と同一である。つまりこの間隔とは、図２で分かるように棚板４の短手方向一側に穿設した保持孔と、もう一側に穿設した保持孔間の間隔である。天井に木ネジを螺入する場合、天井に木ネジを直接螺入できない天井では、天井にアンカーＡを埋め込んでおいて、該アンカーに木ネジを螺入する。【００２２】  このようにして台所の天井に二本のレール１、１を取り付けた後、それぞれのレール内にコア２を二個ずつ離して入れる。そして二本のレール内に入れた四個のコア２に長ネジ３の上端の牡ネジ１５を螺入して吊設する。このとき長ネジ３はコア２に強く螺入せず、長ネジ３の頂部がレール１の天井面１１に達しない程度にしておく。その後、二本のレール１から吊設された四本の長ネジ３・・・を棚板４の四隅の保持孔１８・・・に挿通し、長ネジ３の下部の牡ネジ１６にナット２２を螺合して棚板４を仮保持する。このとき長ネジ３は頂部がレール１の天井面１１に達していないため遊嵌状態であり、コア２はレール１内を容易に移動できる。そこでコア２を移動させてコアに吊設された全ての長ネジ３・・・を垂直状態にする。【００２３】  四本の長ネジ３が垂直状態になったならば、長ネジ３に穿設された回動手段である穴１７に六角レンチ２３を挿入し、六角レンチを回動して長ネジ３をコア２の牝ネジ１４に螺入していく。そして長ネジ３の頂部がレール１の天井面１１に当接したならば、さらに六角レンチ２３で長ネジ３を回動して長ネジ３の頂部をレール１の天井面１１に強く押し付けてコア２が移動しないようにする。このようにして四本の長ネジ３の頂部をレール１の天井���１１に強く押し付けた後、長ネジ３の下部の牡ネジ１６に螺入してあったナット２２を外して棚板４を下ろす。【００２４】  棚板４を下ろしてから全ての長ネジ３にカバー５を挿通する。このときカバー５は、切り込み１９を上にして、レール１を切り込み１９の両側片２０、２０で挟み込む。カバー５の両側片２０、２０間はレールの巾と略同一であるため、切り込み１９をレール１に挟み込むだけで切り込みの弾性により落下しない。【００２５】  次にカバー５の下端に上エンド２４を嵌合する。該上エンドは、樹脂製が好ましい。つまりカバー５と棚板４間に樹脂製の上エンドを挟み込んでおくと、棚板を取り付けるときに金属製のカバーで棚板を傷付けるようなことがないばかりでなく、カバーの切り口を隠すこともできる。さらに該上エンドから下方に伸びた長ネジ３に棚板４の保持孔１８を挿入する。そして長ネジ３に下エンド２５を介してワッシャー２６を挿入してから長ネジ３の下部牡ネジ１６にナット２２を螺入し、該ナットをレンチで強く締め付けて棚板を強固に保持する。このように長ネジ下部の牡ネジ１６をナット２２で締め付けると、その力が棚板４を介してカバー５に伝わり、カバー５の上部に形成された切り込み１９がレール１を長ネジ３の両側で強く押すようになる。その結果、両側の切り込み１９、１９が長ネジ３の横揺れを防止するようになる。その後、長ネジ３の下部に化粧キャップ２７を嵌合し、レール１の端部に化粧蓋２８を嵌合して棚板の取り付けが終了する。
【産業上の利用可能性】
【００２６】  本発明の吊設棚は、台所の空間であれば如何なる場所にも設置できる。特に設置して使用しやすい場所としては、換気扇近傍や吊戸棚の下部等である。なお本発明では、一本のレールから吊設する長ネジは二本に限らず、それ以上であってもよい。
【図面の簡単な説明】
【００２７】
【図１】本発明の吊設棚の分解斜視図
【図２】本発明吊設棚の斜視図
【図３】レールの側面図
【図４】コアの正面図（ａ）、底面図（ｂ）
【図５】カバーの平面図（ａ）、正面図（ｂ）、側面図（ｃ）
【図６】要部断面図
【符号の説明】
【００２８】１  レール
２  コア
３  長ネジ
４  棚板
５  カバー
【図１】
2006247298.tif 000003
【図２】
2006247298.tif 000004
【図３】
2006247298.tif 000005
【図４】
2006247298.tif 000006
【図５】
2006247298.tif 000007
【図６】
2006247298.tif 000008